(57)【要約】【課題】３〜５年間をプリザーブドフラワーの装飾展示が容易なプリザーブドフラワー装飾用容器を得るにある。【解決手段】  プリザーブドフラワー装飾用容器１００は、装飾展示したプリザーブドフラワーを覆って花びら等の損傷を防いで、良好な内部環境を保つ透明容器１０と、プリザーブドフラワーを装飾展示できる装飾用受皿２０を設けた。透明容器１０と、装飾用受皿２０の内部環境を保ち、展示のときプリザーブドフラワー花部の茎を固定できる複数の貫通した孔２２を装飾用受皿２０に無作為に配置して設けた。透明容器１０に嵌合部１１と、装飾用受皿２０に嵌合部２１を設けた。嵌合した隙間にシーリング剤を塗布した。装飾用受皿２０に設けた装飾用受皿台２３は、透明容器１０の内部環境を保つ乾燥剤２５を交換できる乾燥部２４を設けた。該乾燥部２４は装飾用受皿台２３と嵌脱が簡単で、隙間に外部湿気と遮断するシーリング剤を塗布する構成である。【選択図】図３
0003146114.tif 000002
【実用新案登録請求の範囲】
【請求項１】
プリザーブドフラワー装飾用容器において、プリザーブドフラワー装飾用容器（１００）は、装飾展示したプリザーブドフラワーを覆って花びら等の損傷を防ぎ、内部環境を保ち外部湿気を遮断する透明容器（１０）と、プリザーブドフラワーを展示する装飾用受皿（２０）を設けて、該装飾用受皿（２０）は、装飾展示するプリザーブドフラワーを固定できる複数の貫通した孔（２２）を無作為に配置して設けて、嵌脱を容易とする透明容器（１０）に嵌合部（１１）と、装飾用受皿（２０）に嵌合部（２１）を設けて、嵌合した該嵌合部（１１、２１）の隙間を固着保持して外部湿気流入を遮断するシーリング剤（６０）を塗布して設けて、装飾用受皿（２０）を保持する装飾用受皿台（２３）を設けて、該装飾用受皿台（２３）は、透明容器（１０）の内部環境を保つ乾燥剤（２５）を保持して、交換できる乾燥部（２３）を設けて、嵌脱が簡単にできる乾燥部（２４）と装飾用受皿台（２３）の隙間を固着保持して外部湿気流入を遮断するシーリング剤（６０）を塗布して設ける構成であることを特徴とするプリザーブドフラワー装飾用容器。
【請求項２】
プリザーブドフラワー装飾用容器であって、前記記載のプリザーブドフラワー装飾用容器（１００）の装飾用受皿（２０）は、裏面下部円周に沿って設けた装飾用受皿台（２３）と、該装飾用受皿台（２３）は、中心に向けてくびれ形状に設けて、該くびれ形状の周囲を飾紐（３０）で結んで固定して、固定した飾紐（３０）を用いて吊着用の輪（３１）を設けて、壁（５０）などの垂直部分に設けられた吊着具（４０）にプリザーブドフラワー装飾用容器（１００）の吊着用の輪（３１）を吊着して垂直に装飾展示する構成であることを特徴とする請求項１に記載のプリザーブドフラワー装飾用容器。
【請求項３】
プリザーブドフラワー装飾用容器であって、前記記載のプリザーブドフラワー装飾用容器（１００）の装飾用受皿（２０）に設けた孔（２２）を利用してプリザーブドフラワーの茎を通過固定させて、通過固定した茎が抜けないように挟んで固定できる固定ピン（２７）を設けた構成であることを特徴とする請求項１に記載のプリザーブドフラワー装飾用容器。
【請求項４】
プリザーブドフラワー装飾用容器であって、前記記載のプリザーブドフラワー装飾用容器（１００）を構成する透明容器（１０）と、装飾用受皿（２０）と、装飾用受皿台（２３）は、ガラス又は陶磁器を原料とし、乾燥部（２４）は乾燥剤（２５）を保持して交換が容易であるように弾力性のある樹脂を原料とした構成であることを特徴とする請求項１に記載のプリザーブドフラワー装飾用容器。
【考案の詳細な説明】
【技術分野】
【０００１】  本考案は、プリザーブドフラワー装飾用容器である。プリザーブドフラワーは、触った感じがまるで生花のように柔らかく、見た感じも生花そのものですから、見る人は説明しないと生花との違いに気づかないでいる。３年〜５年間も花びらの色が変色しないで装飾展示ができるプリザーブドフラワー装飾用容器に関する。
【背景技術】
【０００２】  プリザーブドフラワーは、花びらの樹液を抜き取り、保存料と色素を吸わせる特殊な加工をしてあるので、生花と同様な花びらで３年〜５年間も咲き続ける。生花と間違えて花びらを摘み取る不埒な者もいる。生花の状態で長く保存するにはプリザーブドフラワーを展示する環境の影響が大きいと言われ直射日光や湿気が大敵である。
参考文献を参照する。
プリザーブドフラワーを展示する軽い花のアレンジの花器に吸盤を付着させることによって転倒を防止する（例えば、特許文献１参照。）。
プリザーブドフラワー２と、プリザードリーフ３と、花器４からなるプリザードフラワーアレンジメントにおいて、花材の必要な場所にロゴなどの彫り込みを入れたボタンを付着させる（例えば、特許文献２参照。）。【０００３】  生花およびドライフラワーの観賞容器の目的は、生花の観賞、その生花のドライフラワー化、ドライファラワー鑑賞を同一の容器内で行うことができる鑑賞容器の提供（例えば、特許文献３参照。）。
ドライフラワー収納容器は、密封のためドライフラワーや、乾燥剤を入れた状態で接合全周を半田付けしている。簡単に素人が乾燥剤の交換ができない（例えば、特許文献４参照。）。【０００４】  プリザーブドフラワーと、ドライフラワーは根本的に異なる花の状況である。プリザーブドフラワーは、花部の花びらの樹液を抜き取り、保存料と色素を吸わせる特殊な加工をしてあるので、みずみずしく生花と変わりなく花部に重みがある。展示をするのは花部が主役である。植物の種類によっては葉部の部分も樹液を抜き取り、保存料と色素を吸わせる特殊な加工に成功している。展示する場合は、花部は生花と同様に重量があり花部を固定する必要がある。
一方ドライフラワーは花部と、茎部と、葉部の植物全体の水分を抜けるだけ抜いて触れば脆くも崩れ去る形態であるためおのずと展示容器の構造が異なる。【０００５】
【特許文献１】特開２００５−１５２５４０号公報
【特許文献２】特開２００５−１５７２２８号公報
【特許文献３】特開平５−２９３０２７号公報
【特許文献４】実公昭６２−１１８０５号公報
【考案の開示】
【考案が解決しようとする課題】
【０００６】  以上に述べた従来の装飾展示では、装飾展示するプリザーブドフラワーを覆って長時間湿気を防止して保護しようとする公報は見られない。
生花の花部を費用を掛けプリザーブドフラワーとしたものを装飾展示したとき外部から花びらのつみとり等の損傷を防ぎたい、花部の装飾展示がしやすく、装飾展示する花部が固定できて、内部環境保全と、長期間保存が容易で、水平・垂直に装飾展示ができるプリザーブドフラワー装飾用容器を提供することを目的とする。【０００７】  本考案の前記ならびにそのほかの目的と新規な特徴は、次の説明を添付図面と照らし合わせて読むならば、より完全であり、明瞭になるであろう。図面は専ら解説のためのものであって、本考案の技術的範囲を限定するものではない。
【課題を解決するための手段】
【０００８】  上記目的を達成するために、本考案では、プリザーブドフラワーを３年〜５年間も生花のごとく咲かせて装飾展示しやすいプリザーブドフラワー装飾用容器において、該プリザーブドフラワー装飾用容器１００は、装飾展示したプリザーブドフラワーを覆って花びら等の損傷を防ぎ、内部環境を保ち外部湿気を遮断する透明容器１０と、プリザーブドフラワーを装飾展示できる装飾用受皿２０を設けた。該装飾用受皿２０は、展示するプリザーブドフラワー花部直近の茎を固定できる複数の貫通した孔２２を無作為に配置して設けた。嵌脱を容易にする透明容器１０に嵌合部１１と、装飾用受皿２０に嵌合部２１を設けた。嵌合した該嵌合部１１，２１の隙間を固着保持して外部湿気流入を遮断するシーリング剤６０を塗布して設けた。装飾用受皿２０を保持する装飾用受皿台２３を設けた。該装飾用受皿台２３は、透明容器１０の内部環境を保つ乾燥剤２５を保持して交換できる乾燥部２４を設けた。嵌脱が簡単な乾燥部２４と装飾用受皿台２３の隙間を固着保持して外部湿気流入を遮断するシーリング剤６０を塗布して設ける構成のプリザーブドフラワー装飾用容器である。【０００９】  また、請求項２記載の考案では、請求項１記載のプリザーブドフラワー装飾用容器であって、前記記載のプリザーブドフラワー装飾用容器１００の装飾用受皿２０は、該装飾用受皿２０の裏面の下部円周に沿って装飾用受皿台２３を設けた。該装飾用受皿台２３は、中心に向けてくびれ形状として設けた。該くびれ形状の周囲を飾紐３０で結んで固定した。
固定した飾紐３０を用いて吊着用の輪３１を設けた。壁などの垂直部分に設けられた吊着用４０にプリザーブドフラワー装飾用容器１００の吊着用の輪３１を吊着して垂直に装飾展示することができる構成のプリザーブドフラワー装飾用容器である。【００１０】  また、請求項３記載の考案では、請求項１記載のプリザーブドフラワー装飾用容器であって、前記記載のプリザーブドフラワー装飾用容器１００の装飾用受皿２０に貫通した孔２２を設けた。該孔２２を利用してプリザーブドフラワー花部直近の茎を通過固定させて、通過固定した茎が抜けないように挟んで固定できる固定ピン２７を設けた。プリザーブドフラワーの花部の茎を挟んで固定する固定ピン２７は、茎を挟む箇所を樹脂材で、挟む力を発生するピンは金属材料を用いる構成のプリザーブドフラワー装飾用容器である。【００１１】  また、請求項４記載の考案では、請求項１記載のプリザーブドフラワー装飾用容器であって、前記記載のプリザーブドフラワー装飾用容器１００を構成する透明容器１０と、装飾用受皿２０と、装飾用受皿台２３は、ガラス又は陶磁器を原料とし、乾燥部２４は乾燥剤２５を保持して交換が容易であるように弾力性のある樹脂を原料とした構成のプリザーブドフラワー装飾用容器である。
【考案の効果】
【００１２】  以下の説明から明らかになるように、本考案にあっては次に列挙する通りである。【００１３】  請求項１の本考案は、プリザーブドフラワーを３年〜５年間も生花のごとく咲かせて装飾展示しやすいプリザーブドフラワー装飾用容器において、該プリザーブドフラワー装飾用容器は、装飾展示したプリザーブドフラワーを覆って花びら等の損傷を防ぎ、内部環境を保ち外部湿気を遮断する透明容器と、プリザーブドフラワーを装飾展示できる装飾用受皿を設けた。該装飾用受皿は、展示するプリザーブドフラワー花部直近の茎を固定できる複数の貫通した孔２２を無作為に配置して設けた。嵌脱を容易にする透明容器に嵌合部１１と、装飾用受皿に嵌合部２１を設けた。嵌合した該嵌合部１１，２１の隙間を固着保持して外部湿気流入を遮断するシーリング剤を塗布して設けた。装飾用受皿を保持する装飾用受皿台を設けた。該装飾用受皿台は、透明容器の内部環境を保つ乾燥剤を保持して交換できる乾燥部を設けた。嵌脱が簡単な乾燥部と装飾用受皿台の隙間を固着保持して外部湿気流入を遮断するシーリング剤を塗布して設ける構成のプリザーブドフラワー装飾用容器であるので、プリザーブドフラワーを最適の環境下において装飾展示ができる。プリザーブドフラワーは花部の花びらの樹液を抜き取り、保存料と色素を吸わせる特殊な加工をしてあるので、生花と同様な花びらで３年〜５年間も咲き続ける。生花と間違えて花びらを摘み取る不埒な者もいるので透明容器で防止をする。生花の状態で長く保存するには、プリザーブドフラワーを展示する環境の影響が大きいと言われ直射日光や湿気が大敵である。直射日光は掲示場所を変えることで避けられる。湿気対策は乾燥部の乾燥剤を取り替えることができるのでプリザーブドフラワーの展示されている透明容器内の環境は最適となる。プリザーブドフラワーの飾付は、装飾用受皿に設けた孔にプリザーブドフラワーの花部の茎を通過固定させて、通過固定した茎が抜けないで固定できるので大変効率よく飾り付けができる。プリザーブドフラワーの装飾展示が完了したプリザーブドフラワー装飾用容器を垂直に装飾展示することもできる。【００１４】  また、請求項２記載の考案では、請求項１記載のプリザーブドフラワー装飾用容器であって、前記記載のプリザーブドフラワー装飾用容器の装飾用受皿は、該装飾用受皿の裏面下部円周に沿って装飾用受皿台を設けた。該装飾用受皿台は、中心に向けてくびれ形状として設けた。該くびれ形状の周囲を飾紐で結んで固定した。固定した飾紐を用いて吊着用の輪を設けた。壁などの垂直部分に設けられた吊着用にプリザーブドフラワー装飾用容器の吊着用の輪を吊着して垂直に装飾展示することができる構成のプリザーブドフラワー装飾用容器であるので、水平展示もできて垂直展示は、壁などの垂直部分に設けられた吊着具にプリザーブドフラワー装飾用容器の吊着用の輪を吊着して簡単に垂直に装飾展示することができる。【００１５】  また、請求項３記載の考案では、請求項１記載のプリザーブドフラワー装飾用容器であって、前記記載のプリザーブドフラワー装飾用容器の装飾用受皿に貫通した孔を設けた。
該孔を利用してプリザーブドフラワー花部直近の茎を通過固定させて、通過固定した茎が抜けないように挟んで固定できる固定ピンを設けた。プリザーブドフラワーの花部の茎を挟んで固定する固定ピンは、茎を挟む箇所を樹脂材で、挟む力を発生するピンは金属材料を用いる構成のプリザーブドフラワー装飾用容器であるので、プリザーブドフラワーの花部の茎を通過固定させた茎が抜けないで固定できるように固定ピンを設けてあるので大変効率よく飾り付けができて、垂直に装飾展示することができる。【００１６】  また、請求項４記載の考案では、請求項１記載のプリザーブドフラワー装飾用容器であって、前記記載のプリザーブドフラワー装飾用容器を構成する透明容器と、装飾用受皿と、装飾用受皿台は、ガラス又は陶磁器を原料とし、乾燥部は乾燥剤を保持して交換が容易であるように弾力性のある樹脂を原料とした構成のプリザーブドフラワー装飾用容器であるので、高価なプリザーブドフラワーを展示するに装飾用容器として気品と品格を生み出す。プリザーブドフラワー装飾用容器内部の環境保全のために乾燥剤の交換が簡単にできるよう装飾用受皿台の嵌め合いに最適な弾力性のある樹脂を原料とした乾燥部を設けてある。ガラスは長期間の展示において変色しない長所がある。
【考案を実施するための最良の形態】
【００１７】  以下、図面に示す実施するための最良の形態により、本考案を説明する。
【実施例１】
【００１８】  図１〜図６に示す本考案の第１に実施するための第１の実施の形態において、図１は、本考案のプリザーブドフラワー装飾用容器の平面図を示した図である。
プリザーブドフラワーと生花やドライフラワーは大きく異なる。生花やドライフラワーにおいては花全体を展示しり傾向であるが、プリザーブドフラワーにおいては、花部・茎部・葉部の中で花部を主役として展開する。
本考案のプリザーブドフラワー装飾用容器１００に、プリザーブドフラワーを装飾展示した例を平面図で示した。
該プリザーブドフラワー装飾用容器１００は、プリザーブドフラワーを装飾展示できる装飾用受皿２０を設けた。装飾展示されたプリザーブドフラワーを透明容器１０で覆って設けた。嵌脱を容易とする透明容器１０に嵌合部１１と、装飾用受皿２０に嵌合部１２を設けた。該嵌合部１１、２１は互いに嵌合すると、嵌合した嵌合部１１、２１の隙間が生ずる。該隙間に外部湿気の流入を遮断するシーリング剤６０を塗布する。装飾用受皿２０に設けた貫通した孔２２は複数個を無作為に配置した。該孔２２は装飾用受皿２０の裏面下方に仕掛けた乾燥剤２５からの気流の流れをもたらす。また、孔２２は、プリザーブドフラワーの花部直近の茎を通過固定させて、通過固定した茎が抜けないで固定できるように設けた。【００１９】  図２は、本考案のプリザーブドフラワー装飾用容器の斜視を示した図である。
本考案のプリザーブドフラワー装飾用容器１００は、プリザーブドフラワー装飾展示した装飾用受皿２０に透明容器１０で覆った例を斜視図で示した。
プリザーブドフラワー装飾用容器１００に設けた装飾用受皿２０に装飾展示したプリザーブドフラワーを覆った透明容器１０を設けて、透明容器１０は装飾用受皿２０と嵌合している。装飾用受皿２０の下方裏面には装飾用受皿台２３を設けた。該装飾用受皿台２３は、中心方面向けてくびれた形状に設けてある。嵌脱を容易とする透明容器１０に嵌合部１１と、装飾用受皿２０に嵌合部２１を設けた。また、プリザーブドフラワーを装飾展示した装飾用受皿２０に円柱形の透明容器１０で覆っているプリザーブドフラワー装飾用容器１００を示しているがこの形状は一例にすぎない。【００２０】  図３は、本考案のプリザーブドフラワー装飾用容器の断面図を示した図である。
本考案のプリザーブドフラワー装飾用容器１００は、プリザーブドフラワーを装飾展示できる装飾用受皿２０と、装飾展示したプリザーブドフラワーを覆い外部からの損傷を防いで内部環境を保全できる透明容器１０を設けた。該装飾用受皿２０は、プリザーブドフラワーを装飾展示するため配置固定できて、乾燥剤２５の気流の流れをもたらす複数個の孔２２を無作為に配置して設けた。孔２２は、装飾展示するプリザーブドフラワーの花部の茎を通過して固定させる。嵌脱を容易とする透明容器１０に嵌合部１１と、装飾用受皿２０に嵌合部２１を設けた。該嵌合部１１、２１は嵌合して、嵌合した嵌合部１１、２１の隙間から外部湿気の流入を遮断するためシーリング剤６０を塗布する。塗布したシーリング剤６０が固まると透明容器１０と、装飾用受皿２０は固着する。引き離すには固着したシーリング剤６０を取り剥がせば簡単に引き離すことができる。装飾用受皿２０の裏面の下部円周に沿って装飾用受皿台２３を設けた。該装飾用受皿台２３は、透明容器１０の内部環境を保つために乾燥剤２５、例えばシリカゲル等を簡単に交換できる構造に乾燥部２４を設けた。該乾燥部２４は装飾用受皿台２３と嵌脱が簡単にできる。装飾用受皿台２３と乾燥部２４は嵌合すると隙間が生じる。該隙間から外部湿気の流入を遮断するためシーリング剤６０、例えばシリコーン：珪素樹脂等を塗布する。乾燥部２４を交換するには固着したシーリング剤６０を取り剥がせば簡単に引き離すことができる構成である。【００２１】  上記記載のプリザーブドフラワー装飾用容器１００を構成する透明容器１０と、装飾用受皿２０と、装飾用受皿台２３は、ガラス又は陶磁器等を原料とし、乾燥部２４は乾燥剤２５の交換を容易にするために弾力性のある樹脂を原料とした構成である。また、高価なプリザーブドフラワーを展示するガラス材による装飾用容器は気品と品格を生じる。直接観察される箇所はガラスを使用した。また、樹脂関係の技術が進歩しているのでプリザーブドフラワー装飾用容器１００を製作することも可能である。ガラスは長期間の装飾展示において変色しない長所がある。【００２２】  図４は、本考案のプリザーブドフラワー装飾用容器の装飾用受皿の平面図を示した図である。
本考案のプリザーブドフラワー装飾用容器１００の装飾用受皿２０に配置した孔２２と、嵌合部２１を示した平面図である。
プリザーブドフラワーを展示する装飾用受皿２０は、装飾展示するプリザーブドフラワーを固定するため複数個の貫通した孔２２を無作為に配置して設けた。該孔２２は、プリザーブドフラワーの花部直近の茎を通過して固定させる。使用されない孔２２は、乾燥剤の気流の流れに貢献する。孔２２は無作為に大小様々設ける。嵌脱を容易とする透明容器１０に嵌合部１１と、装飾用受皿２０に嵌合部２１を設けた。【００２３】  図５は、本考案のプリザーブドフラワー装飾用容器の側面図を示した図である。
本考案のプリザーブドフラワー装飾用容器１００は、装飾展示したプリザーブドフラワーを覆い外部からの損傷を防いで内部環境を保全できる透明容器１０と、プリザーブドフラワーを装飾展示できる装飾用受皿２０を設けた。嵌脱を容易とする透明容器１０に嵌合部１１と、装飾用受皿２０に嵌合部２１を設けた。嵌合部１１、２１は嵌合して、嵌合した嵌合部１１、２１の隙間からの外部湿気の流入を遮断するため隙間にシーリング剤６０を塗布する。装飾用受皿２０は、該装飾用受皿２０裏面の下部円周に沿って装飾用受皿台２３を設けた。該装飾用受皿台２３は中心に向けてくびれ形状にして設けた。該くびれ形状の周囲を飾紐３０で結んで固定した。固定した飾紐３０を用いて吊着用の輪３１を設けた。壁などの垂直部分に設けられた吊着具４０にプリザーブドフラワー装飾用容器１００の吊着用の輪３１を吊着して垂直に装飾展示することができる構成のプリザーブドフラワー装飾用容器である。【００２４】  図６は、本考案のプリザーブドフラワー装飾用容器におけるプリザーブドフラワーを固定した図を示した断面図である。
本考案のプリザーブドフラワー装飾用容器１００は、プリザーブドフラワーを覆って花びら等の損傷を防いで内部環境を保ち外部湿気を遮断する透明容器１０と、プリザーブドフラワーを装飾展示する装飾用受皿２０を設けた。プリザーブドフラワー装飾用容器１００の内部環境を保ち、展示するプリザーブドフラワー花部の茎を固定できる複数の貫通した孔２２を装飾用受皿２０に無作為に配置して設けた。該孔２２にプリザーブドフラワーの花部直近の茎を通過して固定させる。また、固定した茎が抜けないよう挟んで固定する固定ピン２７を設けた。プリザーブドフラワー装飾用容器１００を垂直に吊着展示をする場合、装飾展示したプリザーブドフラワーが固定した孔２２から抜け落ちることを防止する。プリザーブドフラワーの花部直近の茎を挟んで固定する固定ピン２７は、茎を挟む箇所を樹脂材で、挟む力を発生するピンは金属材を用いる。
【産業上の利用可能性】
【００２５】  本考案のプリザーブドフラワー装飾用容器は、該プリザーブドフラワー装飾用容器を製造し販売する産業において利用される。
【図面の簡単な説明】
【００２６】
【図１】本考案のプリザーブドフラワー装飾用容器の平面図を示した図である。
【図２】図１の斜視図を示した図である。
【図３】図２のプリザーブドフラワー装飾用容器の断面図を示した図である。
【図４】図３の装飾用受皿の平面図を示した図である。
【図５】図３のプリザーブドフラワー装飾用容器の側面図を示した図である。
【図６】図３の孔を利用したプリザーブドフラワーの花部の固定状況を示した図である。
【符号の説明】
【００２７】  １０  透明容器
１１  嵌合部
２０  装飾用受皿
２１  嵌合部
２２  孔
２３  装飾用受皿台
２４  乾燥部
２５  乾燥剤
２７  固定ピン
３０  飾紐
３１  吊着用の輪
４０  吊着具
５０  壁
６０  シーリング剤
１００  プリザーブドフラワー装飾用容器
【図１】
0003146114.tif 000003
【図２】
0003146114.tif 000004
【図３】
0003146114.tif 000005
【図４】
0003146114.tif 000006
【図５】
0003146114.tif 000007
【図６】
0003146114.tif 000008